(57)【特許請求の範囲】
【請求項１】
ディスクの装填完了に伴って駆動されるスライダーラックと、前記スライダーラックのラックと噛み合って、該スライダーラックを引き戻しスプリングに復元力を蓄積しながら駆動する駆動源と、第１の係合部に前記スライダーラックの係合部が係合され該スライダーラックで同方向に駆動されてラックが前記駆動源に噛み合い、該スライダーラックと一緒に駆動されるスライダーロックと、このスライダーロックの移動によって前記ディスクをはさむ方向に回動し、該スライダーロックの初期位置復元で該ディスクの解放方向に回動するアームクランパと、前記スライダーロックの移動によって前記再生ユニットをロックを解除し、該スライダーロックの初期位置復元で該再生ユニットをロックするアームロックと、前記スライダーラックの移動によって前記ディスクの搬送ローラを該ディスクから離れる方向に移動し、該スライダーラックの初期位置復元で該搬送ローラをディスクに当接させるベースフラッグとを備え、初期位置復帰時、前記スライダーラックのラックは前記スライダーロックのラックと前記駆動源との噛み合いが解除された後も該駆動源との噛み合いを継続する形状とし、前記スライダーロックのラックと前記駆動源との噛み合いが解除された後、前記スライダーラックに設けた弾性係合部を前記スライダーロック側に押し出して該スライダーロックの第２の係合部に係合させ、以後前記スライダーラックによって前記スライダーロックを初期位置に移動させるカム部を前記シャーシに形成したことを特徴とするディスク装置。
【請求項２】
スライダーロックの第１の係合部を弾性形状としたことを特徴とする請求の範囲第１項記載のディスク装置。
【発明の詳細な説明】
技術分野
この発明は、大小２種類のディスクを再生ユニット（フローティングデッキ）のターンテーブル上に装填（ローディング）させ、ターンテーブル上からディスクを排出（イジェクト）させるディスク装置に関するものである。
背景技術
第１図は車載用のディスク装置を示す概略構成図である。第１図において、１はディスク装置、２は車体の内部に設置されたシャーシ（フレーム）、３はターンテーブルを回転させ、このターンテーブルに載置したディスクＤに記憶されている情報を読み取るための再生ユニット、４はディスクＤをシャーシに形成されたディスク挿入口からシャーシ２の内部に挿入し、再生ユニット３のターンテーブル上に搬送し、かつターンテーブル上のディスクＤをディスク挿入口に搬送し、シャーシ２の外部に排出するための搬送ユニットである。５はディスクＤの再生中に車体の振動が再生ユニット３に伝達することを防止するためのオイルダンパ等の弾性部材であり、シャーシ２と再生ユニット３との間に設けられている。
再生ユニット３において、１１はターンテーブルを回転させるためのモータやピックアップを移動させるためのモータ等が収納されている再生ユニットベースである。１１ａは加圧アーム（アームクランパ）の回転軸であり、再生ユニットベース１１に設けられている。１２は載置されたディスクＤを回転させるターンテーブルであり、再生ユニットベース１１に設けられている。１３は再生ユニットベース１１に設けられた回転軸１１ａを中心としてａ−ｂ方向に回転する加圧アームである。
１４は加圧アーム１３をターンテーブル１２側へ回転させることによりディスクＤをターンテーブル１２とで挟持するディスククランプであり、加圧アーム１３に取り付けられている。１５はディスクＤに記録されている情報を読み取るピックアップであり、再生ユニットベース１１に設けられている。
搬送ユニット４において、２１はシャーシ２の上板に固定されたディスク案内部、２２はディスク挿入口からシャーシ２の内部に挿入されたディスクＤをディスク案内部２１とで挟持し、その挟持状態で正回転することによりディスクＤを再生ユニット３に搬送し、かつ再生ユニット３に搬送されたディスクＤをディスク案内部２１とで挟持し、その挟持状態で逆回転することによりディスクＤをディスク挿入口に搬送しシャーシ２の外部に排出する搬送ローラである。
なお、第１図には、ディスク挿入方向およびディスク排出方向にスライド移動することにより、再生ユニット３に設けられた加圧アーム１３および搬送ユニット４に設けられた搬送ローラ２２を駆動させ、かつ再生ユニット３の固定およびその解除を行うカムプレートについては説明を省略するために図示していない。
次の動作について説明する。
ディスク装填
ディスク検知スイッチ（図示せず）により、搬送ローラ２２が回転することにより、ディスクＤはディスク案内部２１と搬送ローラ２２とで挟持され、ディスクＤは再生ユニット３上に搬送される。再生ユニット３上に搬送されたディスクＤは、加圧アーム１３がターンテーブル１２側へ回動することにより、ターンテーブル１２とディスククランプ１４とで挟持され該ターンテーブル１２に載置される。このとき、図示しないカムプレートにより、搬送ローラ２２はディスクＤから離れた位置に移動し、固定されていた再生ユニットベース１１の固定が解除され、再生ユニットベース１１は弾性部材５により支持され、ディスクＤに記憶されている情報の読み取り、すなわちディスクＤの再生が可能な状態となる。
ディスク再生
ターンテーブル１２が回転することにより、このターンテーブル１２上に載置されて静止しているディスクＤの再生が開始する。そして、ピックアップ１５により、ディスクＤに記録されている情報が読み取られる。このとき、車体の振動は弾性部材５に吸収され、車体の振動が再生ユニット３に伝達することが防止される。
ディスク排出
ディスクＤの再生が終了し、ディスクＤがターンテーブル１２とディスククランプ１４とで挟持され該ターンテーブル１２上に静止している状態にあるときにディスクＤの排出を開始すると、加圧プレート１３はターンテーブル１２から離れる方向に回転し、ディスクＤから離れていた搬送ローラ２２が再びディスクＤと接する位置に移動し、ディスク案内部２１と搬送ローラ２２とでディスクＤが挟持される。そして、搬送ローラ２２が回転することにより、ディスクＤはディスク挿入口に搬送されシャーシ２の外部に排出される。このとき、再生ユニットベース１１は、図示しないカムプレートにより固定される。
以上、車載用のディスク装置を示す構成、動作の概略を説明したが、以下、その各部を詳細に説明する。
第２図は従来のディスク装置におけるディスクＤをターンテーブル（第２図では図示せず）上に装填し、かつターンテーブル上から排出させる水平動作機構を示す平面図、第３図はその右側側面図である。第２図および第３図において、３１は回動軸３２によりシャーシ２に支持されたレバーオープン部材、３３はロッカアームであり、このロッカアーム３３は長穴３３ａを加圧アーム１３に立てたピン１３ｅに係合させるとともに両者間に設けたスプリング３４によって付勢力が付与されている。３５，３６は重ね合わせた一端側を、加圧アーム１３に設けた軸３７に回動可能に支持した一対のレバーストッパ、３８はレバーロード、３９はスライダーラック（レバートリグ）である。
上記加圧アーム１３には軸３７を中心に左右にそれぞれ円弧状の長穴１３ａ，１３ｂ，１３ｃ，１３ｄが形成されており、長穴１３ａ，１３ｂにはレバーストッパ３５に設けたピン３５ａ，３５ｂが係合し、長穴１３ｃ，１３ｄにはレバーストッパ３６に設けたピン３６ａ，３６ｂが係合している。上記レバーロード３８はピン３６ａに取り付けられ、その凹部３８ａにピン３６ｂが係合している。４０はレバーストッパ３５，３６が互いに近づく方向の付勢力を付与するように両者間に設けたスプリング、４１はレバーロード３８の一端を常時スライダーラック３９に当接させる方向に該レバーロードに付勢力を付与するスプリングである。１４はシャーシ２の中央に位置するように加圧アーム１３に取り付けたディスククランプである。
次に動作について説明する。
第４図は大径（１２ｃｍ）のディスク装填時の状態図、第５図はディスクＤの挿入によって水平動作から垂直動作への動作切り替え直後の状態図である。
まず、第４図に示すように、ディスクＤを挿入すると、図示していない搬送ローラによって、ディスクＤはシャーシ２内に搬送され、その搬送過程でディスクＤの周面でピン３１ａを押して、レバーオープン部材３１を回動軸３２を中心に時計方向に回動させ、その先端の凸部３１ｂでロッカアーム３３を矢印ａ方向に移動させる。
この移動によって、係合部３３ｂによるピン３５ｂの係合を解除するため、引き続くディスクＤの挿入によって該ディスクＤでピン３５ａ，３６ａ，３６ｂが押されることにより、ピン３５ａ，３５ｂが長穴１３ａ，１３ｂ、ピン３６ａ，３６ｂが長穴１３ｃ，１３ｄに沿って移動して、レバーストッパ３５，３６を軸３７を中心にして左右に回動させる。
そして、更にディスクＤの挿入が進み、第５図の位置にディスクＤが挿入されると、ディスクＤによりピン３８ｂを介して最も大きく回動されたレバーロード３８によってスライダーラック３９を矢印ｂ方向に押して水平動作から垂直動作への動作切替を完了する。
第６図は垂直動作機構を示す図である。第６図において、４０はスライダーロック、４１はアームロック、４２はシャーシ２に支持した駆動軸、４３，４４は駆動軸４２に取り付けたピニオンギア、減速ギア、４５はディスクＤの搬送ローラ軸４７を支持するベースフラップである。
上記スライダーラック３９はシャーシ２の側板に沿って平行移動可能に設けられ、その先端にはラック３９ａ、後端には引き戻しスプリング４６が設けられている。スライダーロック４０はスライダーラック３９と一体かつ相対移動可能に設けられ、ラック３９ａと並設するラック４０ａと、再生ユニット３の支持軸３ａのロックおよび解放を行う一端側が大径の穴４０ｂおよびアームロック４１を回動させるＬ状カム溝４０ｃを有し、側面には加圧アーム１３を移動させるカム４０ｄが設けられている。
ベースフラップ４５は両端部が軸５０によって回動可能にシャーシ２に支持され、その腕部４５ａに搬送ローラ軸４７を支持するとともに腕部側面にスライダーロック４０に作用する突起４５ｂが設けられている。４８はベースフラップ４５の復元用スプリングである。
次に垂直動作について説明する。
前記の水平動作から垂直動作への動作切り替えによって、スライダーラック３９が矢印ｂ方向に押し動かされると、スライダーラック３９のラック３９ａが回転中のピニオンギア４３と噛み合い、スライダーラック３９はピニオンギア４３の駆動力で同方向に移動する。
このスライダーラック３９の移動によって該スライダーラックの係合部３９ｂがスライダーロック４０の係合部４０ｅに当接し、このスライダーロック４０を一緒に同方向に移動させる。この結果、スライダーロック４０のラック４０ａもピニオンギア４３に噛み合い、以後はピニオンギア４３の駆動力で移動する。このスライダーロック４０の移動により、加圧アーム（アームクランパ）１３のカム（図示せず）にスライダーロック４０のカム４０ｄが作用して、加圧アーム１３はディスクＤをはさむ方向に回動する。
引き続くスライダーロック４０の移動により、カム溝４０ｃによってアームロック４１のピン４１ａを図において上方へガイドし、アームロック４１を軸４１ｂを中心に回動させて、再生ユニット（フローティングデッキ）３の軸３ａのロックを解除する。
一方、スライダーラック３９の移動により、このスライダーラック３９の先端部のカム部３９ｃがベースフラップ４５の凸部４５ａを第７図に示すように押し下げ、ベースフラップ４５はディスクＤから離れる方向つまり搬送ローラ軸４７がディスクＤから離れる方向に回動する。そして、スライダーロック４０がディスク装填（ローディング）完了スイッチ（図示せず）を動作させてディスク装填を完了する。
ディスク排出（イジェクト）動作
ディスク排出の場合は、ピニオンギア４３はディスク装填時とは逆回転し、スライダーラック３９とスライダーロック４０とが点線矢印ｄ方向に移動する。このスライダーラック３９の移動により、ベースフラップ４５が復元用スプリング４８の復元力でディスク側つまり搬送ローラがディスクＤに作用するように回動し、搬送ローラ軸４７のギア４７ａが減速ギア４４にかみ合う。
また、スライダーロック４０の移動により、アームロック４１が第７図の位置から第６図の位置に回動して、再び再生ユニット３の軸３ａのロックをするとともに、加圧アーム１３のカム（図示せず）に対するスライダーロック４０のカム４０ｄの作用を解除して該加圧アームをディスクＤから離れる方向に回動させる。
スライダーラック３９、スライダーロック４０は、そのラック３９ａ，４０ａがピニオンギア４３との噛み合いが外れると、それぞれ引き戻しスプリング４６，４９のスプリング力によって、垂直動作から水平動作への動作切り替え位置に戻り、ディスクＤの水平移動に移行する。
上記により、ディスクＤの水平移動に移行すると、装填されているディスクＤが減速ギア４４とギア４７ａを介して駆動される搬送ローラ２２によって排出方向に送り出される。このディスクＤが第５図の位置から第４図の位置に移動すると、ディスク周面がピン３１ａを押して、レバーオープン部材３１を時計方向に回動させ、その先端の凸部３１ｂでロッカアーム３３を矢印ａ方向に移動させる。
この移動によって、係合部３３ｂによるピン３５ｂの係合を解除すると、レバーストッパ３５，３６がスプリング８５の付勢力によって互いに近づく方向に回動して、ディスクＤの排出とともに第２図の状態に戻る。また、レバーオープン部材３１はディスクＤがピン３１ａに作用しなくなると、引き戻しスプリング３１ｃのスプリング力で初期位置に復元し、レバーオープン部材３１の初期位置復元によってロッカアーム３３も初期位置へ戻る。
第８図は小径（８ｃｍ）のディスクＤを装填する場合の説明図である。小径のディスクＤは、レバーオープン部材３１にはまったく作用しない。このため、ロッカアーム３３、レバーストッパ３５，３６は動作しない。そして、挿入されたディスクＤの周囲が第８図のようにレバーロード３８のピン３８ｂに直接作用し、このピン３８ｂを介してレバーロード３８をピン３６ａを中心に時計方向に回動させ、レバーロード３８によってスライダーラック３９を矢印ｂ方向に押して水平動作から垂直動作への動作切替を完了する。以後、前記の垂直動作を行ってディスク装填を完了し、またこの垂直動作および水平動作を上記とは反対に行ってディスク排出を完了する。
従来のディスク装置は以上のように、イジェクト動作時、スライダーロックを引き戻しスプリングで初期位置に引き戻すため、完全に戻りきらず、ディスククランプを解除することができない場合が生じ、ディスクを排出することができなくなるという課題があった。また、この課題の対策として、スライダーロックを引き戻すスプリングの引き戻し力を大きくすることが考えられるが、この場合は、ディスク装填（ローディング）動作に大きな力を必要とし、モータおよび動力伝達部が大きくなり、コスト、機構サイズが大きくなるという課題があった。
この発明は上記のような課題を解消するためになされたもので、スライダーロックの引き戻しスプリングを不要として、部品点数の削減と構成の簡略化を図るとともに、再生ユニットのロック動作およびディスククランプ解除を確実に行うことができ、スライダーラックの引き戻しスプリングは小さなスプリング力でよいディスク装置を得ることを目的とする。
発明の開示
この発明に係るディスク装置は、ディスクの装填完了に伴って駆動されるスライダーラックと、前記スライダーラックのラックと噛み合って、該スライダーラックを引き戻しスプリングに復元力を蓄積しながら駆動する駆動源と、第１の係合部に前記スライダーラックの係合部が係合され該スライダーラックで同方向に駆動されて、ラックが前記駆動源に噛み合い、該スライダーラックと一緒に駆動されるスライダーロックと、このスライダーロックの移動によって前記ディスクをはさむ方向に回動し、該スライダーロックの初期位置復元で該ディスクの解放方向に回動するアームクランパと、前記スライダーロックの移動によって前記再生ユニットをロックを解除し、該スライダーロックの初期位置復元で該再生ユニットをロックするアームロックと、前記スライダーラックの移動によって前記ディスクの搬送ローラを該ディスクから離れる方向に移動し、該スライダーラックの初期位置復元で該搬送ローラをディスクに当接させるベースフラッグとを備え、初期位置復帰時、前記スライダーラックのラックは前記スライダーロックのラックと前記駆動源との噛み合いが解除された後も該駆動源との噛み合いを継続する形状とし、前記スライダーロックのラックと前記駆動源との噛み合いが解除された後、前記スライダーラックに設けた弾性係合部を前記スライダーロック側に押し出して該スライダーロックの第２の係合部に係合させ、以後前記スライダーラックによって前記スライダーロックを初期位置に移動させるカム部を前記シャーシに形成したことを特徴とするものである。
この構成によって、駆動源に初期位置へ駆動されるスライダーラックの係合でスライダーロックを確実に初期位置に戻すことができ、このスライダーロックで制御される再生ユニットのロック動作、ディスククランプ解除動作を確実に行うことができる。また、スライダーラックはスライダーロックが初期位置に復帰した後も駆動源で駆動を続け、弾性係合部がスライダーロックの係合部から外れた後に駆動源から解放されるため、このスライダーラックを初期位置に戻すスプリング力は小さなものでよい。しかも、スライダーロックの引き戻しスプリングが不要で、部品点数の削減と構成の簡略化を図ることができる。
また、この発明に係るディスク装置は、スライダーロックの第１の係合部を弾性形状としたものである。
この構成によって、スライダーラックの係合部が係合するときの衝撃を低減することができ、スライダーラックおよびスライダーロックを円滑に移動させることができる。
【図面の簡単な説明】
第１図は車載用のディスク装置を示す概略構成図である。
第２図は従来のディスク装置におけるディスクをターンテーブル上に装填し、かつターンテーブル上から排出させる水平動作機構を示す平面図である。
第３図は第２図の右側側面図である。
第４図は大径のディスク装填時の水平動作機構の平面図である。
第５図はディスクの挿入による動作切り替え直後の状態図である。
第６図は水平動作から垂直動作へ動作が切り替わったときの垂直動作機構の正面図である。
第７図はディスク装填完了時における垂直動作機構の正面図である。
第８図は小径のディスクの装填時の水平動作機構の平面図である。
第９図はこの発明の実施の形態１によるディスク装置におけるディスクをターンテーブル上に装填し、かつターンテーブル上から排出させる水平動作機構を示す平面図である。
第１０図は大径のディスク装填時の水平動作機構の平面図である。
第１１図はディスクの挿入による動作切り替え直後の状態図である。
第１２図は第１１図の左側面図である。
第１３図は第１１図の右側面図である。
第１４図は動作切替時における垂直動作機構の正面図である。
第１５図は動作途中の垂直動作機構の正面図である。
第１６図はディスク装填完了時における垂直動作機構の正面図である。
第１７図はディスク排出方向に動作中の垂直動作機構の正面図である。
第１８図は垂直動作機構の分解斜視図である。
第１９図小径のディスクの装填時の水平動作機構の平面図である。
発明を実施するための最良の形態
以下、この発明をより詳細に説明するために、この発明を実施するための最良の形態について、添付の図面に従って説明する。
実施の形態１．
第９図は、この発明の実施の形態１によるディスク装置におけるディスクをターンテーブル上に装填し、かつターンテーブル上から排出させる水平動作機構を示す平面図である。第９図において、５１はレバーオープン部材、５２はクランプ、５３はクランプ５２を取り付けたクランプキャップ、５４はスライダストップ、５５はアームクランパ、５６はレバーストッパ、５７はカムストッパ、５８はスライダーラック、５９はフックストッパである。
上記レバーオープン部材５１は中間部を軸６４によってシャーシ２に回動可能に支持されており、一端部にはディスク周面が当接するピン５１ａを、他端部には凸部５１ｂが設けられている。スライダストップ５４は左右両端角部にディスクＤが当接するピン５４ａ，５４ａを有し、中央に設けた係合部５４ｃによりアームクランパ５５にディスク装填方向に設けた長穴５５ａに沿って移動可能に支持されている。レバーストッパ５６とカムストッパ５７はフックストッパ５９により相対的に回転可能に支持され、レバーストッパ５６は一端側に設けた長穴５６ａによって上記スライダストップ５４の係合部５４ｃに係合支持されている。
そして、カムストッパ５７は上記フックストッパ５９を通す長穴５７ａの他に、一面にアームクランパ５５の係合穴５５ｂに係合するピン５７ｂとレバーストッパ５６の係合穴５６ｂに係合するピン５７ｃを有し、他面にディスクＤの当接するピン５７ｄを有する。６０はアームクランパ５５とカムストッパ５７間に設けたスプリングであり、カムストッパ５７が回動してスプリング６０の取り付け点５６ｅがアームクランパ５５のスプリング６０の取り付け点５５ｃとフックストッパ５９を結ぶ線上６１を越えることにより、カムストッパ５７に対する付勢力の方向が反転する。６２はカムストッパ５７に時計方向の回転力を付与するように該カムストッパ５７とアームクランパ５５との間に設けたスプリングである。
次に動作について説明する。
第１０図は大径（１２ｃｍ）のディスク挿入時の状態図、第１１図はディスクＤの挿入によって動作切り替え時の状態図、第１２図は第１１図の左側面図、第１３図は右側面図である。
まず、第１０図に示すように、ディスクＤを挿入すると、そのディスクＤの周面でピン５１ａを押して、レバーオープン部材５１を反時計方向に回動させ、その先端の凸部５１ｂでカムストッパ５７を矢印ｃ方向に移動させる。この移動によって、カムストッパ５７のピン５７ｃとレバーストッパ５６の係合穴壁との係合が解除され、ディスクＤで押されてスライダストップ５４が該ディスクＤの装填方向に移動して、レバーストッパ５６が回動しても、その回動力はカムストッパ５７には伝達されない。このため、第１１図に示すように、ディスクＤが所定位置まで装填されて、該ディスクＤが直接ピン５７ｄを押してカムストッパ５７を回動させることにより、この回動されたカムストッパ５７によってスライダーラック５８を矢印ｂ方向に押して水平動作から垂直動作への動作切替を完了する。
第１４図は垂直動作機構を示す図である。第１４図において、７０はスライダーロック、７１はアームロック、７２はシャーシ２に支持した駆動軸、７３，７４は駆動軸７１に取り付けたピニオンギア、減速ギア、７５はディスクＤの搬送ローラ軸７７を支持するベースフラップである。
第１８図の分解斜視図に示すように、上記スライダーラック５８はシャーシ２の側板に沿って平行移動可能に設けられ、その先端にはラック５８ａ、後端には引き戻しスプリング７８が設けられ、他の係合部５８ｂ、係合部５８ｃ、側方に突出する腕部５８ｄに設けた弾性係合部５８ｅを有する。スライダーロック７０はスライダーロック５８と一体かつ相対移動可能に設けられ、ラック５８ａと並設するラック７０ａと，再生ユニットの支持軸のロックおよび解放を行う一端側が大径の穴７０ｂおよびアームロック７１を回動させるＬ状カム溝７０ｃ、側面にはアームクランパ５５を移動させるカム７０ｄが設けられ、上面にはスライダーラック５８の係合部５８ｂに作用する弾性係合部７０ｅとスライダーラック５８の弾性係合部５８ｅに作用する係合部７０ｆが設けられている。
ベースフラップ７５は両端部が軸７９によって回動可能にシャーシ２に支持され、その腕部７５ａに搬送ローラ軸７７を支持するとともに腕部側面にスライダーラック５８の係合部５８ｃに作用する係合部７５ｂが設けられている。８０はベースフラップ７５の復元用スプリングである。
次に垂直動作について説明する。
前記の水平動作から垂直動作への切り替えによって、スライダーラック５８がｂ方向に押し動かされると、スライダーラック５８のラック５８ａが回転中のピニオンギア７３と噛み合い、スライダーラック５８はピニオンギア７３の駆動力で同方向に移動する。
このスライダーラック５８の移動途中で該スライダーラックの係合部５８ｂがスライダーロック７０の弾性係合部７０ｅに当接して該スライダーロック７０を一緒に移動させる。この結果、スライダーロック７０のラック７０ａもピニオンギア７３に噛み合い、以後はピニオンギア７３の駆動力で移動する。このスライダーロック７０の移動により、アームクランパ５５のカム５５ｄ（第１３図）にスライダーロック７０のカム７０ｄが作用し、アームクランパ５５はディスクＤをはさむ方向に回動する。
引き続くスライダーロック７０の移動により、Ｌ状カム溝７０ｃによってアームロック７１のピン７１ａを上方へガイドし、アームロック７１を軸８１を中心に回動させて、第１６図に示すように、再生ユニット（フローティングデッキ）の支持軸のロックを解除する。
一方、スライダーラック３９の移動により、このスライダーラック５８の先端部の係合部５８ｃがベースフラップ７５の係合部７５ｂを押し下げると、ベースフラップ７５はディスクＤから離れる方向つまり搬送ローラ８２がディスクから離れる方向に回動する。そして、スライダーロック７０がディスク装填（ローディング）完了スイッチ（図示せず）を動作させてディスク装填を完了する。
ディスク排出（イジェクト）動作
ディスク排出の場合は、ピニオンギア７３はディスク装填時とは逆回転し、スライダーラック５８とスライダーロック７０とが矢印ｄ方向に移動する。スライダーラック５８の移動により、ベースフラップ７５が復元スプリング８０の復元力でディスク側つまり搬送ローラ８２がディスクに作用するように回動する。また、スライダーロック７０の移動により、アームロック７１が第１６図の位置から第１５図の位置に回動して、再生ユニット３の軸３ａのロックをするとともに、アームクランパのカム５５ｄに対するスライダーロック７０のカム７０ｄの作用を解除し、アームクランパ５５をディスクから離れる方向に回動させる。
そして、スライダーロック７０のラック７０ａがピニオンギア７３との噛み合いが外れると、第１７図に示すように、スライダーラック５８の弾性係合部５８ｅがシャーシ２のカム部２ａによりスライダーロック７０側に押し出され該スライダーロック７０の係合部７０ｆと係合し、スライダーロック７０を初期位置（イジェクト位置）まで移動させる。スライダーロック７０が初期位置に戻った位置関係において、弾性係合部５８ｅに対するシャーシ側のカム部２ａが無くなり、スライダーラック５８の弾性係合部５８ｅがシャーシ側に復元移動して、スライダーロック７０との係合が解除される。しかる後、スライダーラック５８はそのラック５８ａとピニオンギア７３との噛み合いが外れると、引き戻しスプリング７８のスプリング力によって、イジェクト位置に戻り、垂直動作から水平動作への動作切替が行われる。
上記により、水平動作に移行すると、装填されているディスクＤが搬送ローラ８２によって排出方向に送り出される。第１０図に示すように、ディスクＤを排出方向に移動させると、ディスク周面がピン５１ａを押してレバーオープン部材５１を反時計方向に回動させ、その先端の凸部５１ｂでカムストッパ５７を矢印ｃ方向に移動させる。この移動によって、カムストッパ５７のピン５７ａとレバーストッパ５６の係合穴５６ｂの縁との係合が解除され、スライダストップ５４がスプリング６０の付勢でディスクの排出方向の移動するのに追従して、レバーストッパ５６も回動して第９図の初期位置に戻るものである。
第１９図は小径（８ｃｍ）のディスクＤを装填して動作の切替を行った状態の状態図である。この小径のディスクＤは、装填および排出時にはレバーオープン部材５１には全く作用しないため、カムストッパ５７のピン５７ａとレバーストッパ５６の係合穴５６ｂの縁との係合状態は保持されている。この状態で、ディスクＤの装填に伴い、スライダストップ５４はそのピン５４ａ，５４ａがディスクで押されて装填方向に移動し、この移動により、レバーストッパ５６が時計方向に回動し、この回動によりレバーストッパ５６に係合して一体回転するカムストッパ５７でスライダーラック５８を所定位置に押して水平動作から垂直動作への動作切替を完了する。
引き続いて前記第１４図から第１６図の垂直動作が行われてディスク装填を完了する。また、前記第１７図の動作および第１１図から第９図の動作によって、ディスクの排出が行われるもので、この動作は前記と同じであるから重複動作の説明を省略する。
以上のようにこの実施の形態１によれば、ディスク装填状態から駆動源で初期位置へ駆動されるスライダーラックの係合によってスライダーロックを確実に初期位置に戻すことができるように構成したので、スライダーロックの引き戻しスプリングが不要となり、部品点数の削減とコストダウンを図ることができる。また、スライダーロックを確実に初期位置に戻すことにより、このスライダーロックで制御される再生ユニットのロック動作、ディスククランプ解除動作を確実に行うことができる。また、スライダーラックはスライダーロックが初期位置に復帰した後も駆動源で駆動を続け、スライダーロックとの係合が外れた後に駆動源から解放されるため、このスライダーラックを初期位置に戻すスプリング力は小さなものでよいものである。
また、スライダーロックの第１の係合部を弾性形状に構成したので、スライダーラックの係合部が係合するときの衝撃を低減することができ、スライダーラックおよびスライダーロックを円滑に移動させることができる。
産業上の利用可能性
以上のように、この発明に係るディスク装置は、大きさの異なる２つのディスクが利用可能な車載用のディスク装置として用いるのに適している。
【図１】
0003693919.tif 000002
【図２】
0003693919.tif 000003
【図３】
0003693919.tif 000004
【図４】
0003693919.tif 000005
【図５】
0003693919.tif 000006
【図６】
0003693919.tif 000007
【図７】
0003693919.tif 000008
【図８】
0003693919.tif 000009
【図９】
0003693919.tif 000010
【図１０】
0003693919.tif 000011
【図１１】
0003693919.tif 000012
【図１２】
0003693919.tif 000013
【図１３】
0003693919.tif 000014
【図１４】
0003693919.tif 000015
【図１５】
0003693919.tif 000016
【図１６】
0003693919.tif 000017
【図１７】
0003693919.tif 000018
【図１８】
0003693919.tif 000019
【図１９】
0003693919.tif 000020